(57)【特許請求の範囲】
【請求項１】
照明器具用の電源供給部に接続可能な第１の機能モジュールと、
前記第１の機能モジュールに接続可能な第２の機能モジュールと、
を備え、
前記第１、第２の機能モジュールは、前記電源供給部に対して、前記第２の機能モジュール、第１の機能モジュールの順にも接続変更され得るものであり、
前記第１の機能モジュールは、
ライト部と、
前記第２の機能モジュールが、映像を出力する機能を有し、かつ、電源供給部側か否かを検出するセンサ部と、
前記センサ部により、電源供給部側に、天井に映像を投影する機能を有する前記第２の機能モジュールが接続されていることを検出すると、前記ライト部の輝度を下げる制御を行う制御部と、を有する、機能モジュールシステム。
【請求項２】
前記第１、第２の機能モジュールは、前記電源供給部または上流側に接続される前記第２、第１の機能モジュールから電源を受給する電源接続部を有する、請求項１に記載の機能モジュールシステム。
【請求項３】
前記第２の機能モジュールは、
映像コンテンツを受信可能な通信部と、
前記映像コンテンツを投影する出力部と、を有する、請求項１または２に記載の機能モジュールシステム。
【請求項４】
前記第２の機能モジュールは、
前記機能モジュールシステムの設置方向を検出するセンサ部と、
前記検出した設置方向に応じて、天井投影用、机上・床面投影用、または側面投影用の映像コンテンツを、前記出力部から投影するよう制御する制御部と、を有する、請求項３に記載の機能モジュールシステム。
【請求項５】
前記第２の機能モジュールは、
前記天井投影用、机上・床面投影用、および側面投影用の映像コンテンツを記憶する記憶部をさらに有する、請求項４に記載の機能モジュールシステム。
【請求項６】
前記機能モジュールシステムは、
オーディオコンテンツを受信可能な通信部と、前記オーディオコンテンツを出力するスピーカ部と、を有し、前記電源供給部、前記第１の機能モジュール、または前記第２の機能モジュールと接続可能な第３の機能モジュールをさらに備える、請求項１〜５のいずれか１項に記載の機能モジュールシステム。
【請求項７】
前記第１の機能モジュールは、
ライトパターンを受信可能な通信部を有し、
前記ライト部は、前記ライトパターンに応じて点灯する、請求項１〜６のいずれか１項に記載の機能モジュールシステム。
【請求項８】
前記機能モジュールシステムは、
周辺状況を撮像するカメラを有し、前記電源供給部、前記第１の機能モジュール、または前記第２の機能モジュールと接続可能な第４の機能モジュールをさらに備え、
前記第１の機能モジュールは、
前記カメラにより撮像された投影画像に対応する照明制御を行う、請求項１〜７のいずれか１項に記載の機能モジュールシステム。
【発明の詳細な説明】
【技術分野】
【０００１】
本開示は、機能モジュールシステムに関する。
【背景技術】
【０００２】
近年、自宅で映画や音楽ライブを楽しむことが可能なホームシアターの人気が高まっている。具体的には、壁に映像を投射する家庭用プロジェクタと、鑑賞者を包み込む音響を構築する複数のスピーカにより実現される。【０００３】
ここで、プロジェクタの設置に関し、室内の照明器具に置き替えて設置できる技術が提案されている。例えば下記特許文献１では、天井吊り型液晶プロジェクタの設置性向上、および投射準備の簡略化を目的とする液晶プロジェクタが開示されている。【０００４】
また、下記特許文献２では、天井ローゼットに係合するプロジェクタ引掛けシーリングを設けることで、天井の工事等を行うことなく、簡単な作業でプロジェクタ本体を天井に吊り下げて取り付けられるプロジェクタ装置が開示されている。
【先行技術文献】
【特許文献】
【０００５】
【特許文献１】特開平７−２６４５２７号公報
【特許文献２】特開２００４−１８４７６８号公報
【発明の概要】
【発明が解決しようとする課題】
【０００６】
しかしながら、上述したプロジェクタや複数のスピーカ等の装置を個別にリビングに配置すると、本来のリビングの景観を損ねるという問題があった。【０００７】
そこで、本開示では、複数の機能モジュールを電源供給部から順次接続させ、異なる順序にも変更可能とし、空間の景観を損ねることなく多様な機能を設けることが可能となる機能モジュールシステムを提案する。
【課題を解決するための手段】
【０００８】
本開示によれば、照明器具用の電源供給部に接続可能な第１の機能モジュールと、前記第１の機能モジュールに接続可能な第２の機能モジュールと、を備え、前記第１、第２の機能モジュールは、前記電源供給部に対して、前記第２の機能モジュール、第１の機能モジュールの順にも接続変更され得る、機能モジュールシステムを提案する。
【発明の効果】
【０００９】
以上説明したように本開示によれば、複数の機能モジュールを電源供給部から順次接続させ、異なる順序にも変更可能とし、空間の景観を損ねることなく多様な機能を設けることが可能となる。【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態による機能モジュールシステムの概要について説明するための図である。
【図２】本実施形態による天井／側面タイプのプロジェクタモジュールの基本構成を示すブロック図である。
【図３】本実施形態による床側タイプのプロジェクタモジュールの基本構成を示すブロック図である。
【図４】本実施形態によるライトモジュールの基本構成を示すブロック図である。
【図５】本実施形態によるスピーカモジュールの基本構成を示すブロック図である。
【図６】本実施形態によるカメラ／センサモジュールの基本構成を示すブロック図である。
【図７】本実施形態によるリモートコントローラの基本構成を示すブロック図である。
【図８】第１の実施形態による機能モジュールシステムの配置構成を説明するための図である。
【図９】第１の実施形態による機能モジュールシステムに各モジュールと、リモートコントローラの動作処理を示すシーケンス図である。
【図１０】第２の実施形態による機能モジュールシステムの配置構成を説明するための図である。
【図１１】第２の実施形態による機能モジュールシステムに各モジュールと、リモートコントローラの動作処理を示すシーケンス図である。
【図１２】第３の実施形態による機能モジュールシステムの配置構成を説明するための図である。
【図１３】第３の実施形態による機能モジュールシステムに各モジュールと、リモートコントローラの動作処理を示すシーケンス図である。
【図１４】第４の実施形態による機能モジュールシステムの配置構成を説明するための図である。
【図１５】第４の実施形態による機能モジュールシステムに各モジュールと、リモートコントローラの動作処理を示すシーケンス図である。
【図１６】第５の実施形態による機能モジュールシステムの配置構成を説明するための図である。
【図１７】第５の実施形態による機能モジュールシステムに各モジュールと、リモートコントローラの動作処理を示すシーケンス図である。
【図１８】第６の実施形態による機能モジュールシステムの配置構成を説明するための図である。
【図１９】第６の実施形態による機能モジュールシステムに各モジュールと、リモートコントローラの動作処理を示すシーケンス図である。
【図２０】第７の実施形態による機能モジュールシステムの配置構成を説明するための図である。
【図２１】第７の実施形態による機能モジュールシステムに各モジュールの動作処理を示すシーケンス図である。
【図２２】第８の実施形態による機能モジュールシステムの配置構成を説明するための図である。
【図２３】図２２に示す配置構成の上面図である。
【図２４】第８の実施形態による複数の機能モジュールシステムと、リモートコントローラの動作処理を示すシーケンス図である。
【図２５】第８の実施形態による変形例の配置構成を説明するための図である。
【図２６】図２５に示す配置構成の上面図である。
【図２７】第９の実施形態によるプロジェクタモジュールの構成を示すブロック図である。
【図２８】図２７に示すプロジェクタモジュールの動作処理を示すフローチャートである。
【図２９】第１０の実施形態によるライトモジュールの構成を示すブロック図である。
【図３０】図２９に示すライトモジュールの動作処理を示すフローチャートである。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、説明は以下の順序で行うものとする。
１．本開示の一実施形態による機能モジュールシステムの概要
２．基本構成
２−１．プロジェクタモジュール（天井／側面タイプ）
２−２．プロジェクタモジュール（床側タイプ）
２−３．ライトモジュール
２−４．スピーカモジュール
２−５．カメラ／センサモジュール
２−６．リモートコントローラ
３．各実施形態
３−１．第１の実施形態（プロジェクタ−スピーカ）
３−２．第２の実施形態（プロジェクタ−スピーカ−ライト）
３−３．第３の実施形態（ライト−スピーカ−プロジェクタ）
３−４．第４の実施形態（プロジェクタ−スピーカ−ライト−カメラ／センサ）
３−５．第５の実施形態（スピーカ−ライト−カメラ／センサ）
３−６．第６の実施形態（スピーカ−照明器具）
３−７．第７の実施形態（複数のライト）
３−８．第８の実施形態（機器の連携）
３−９．第９の実施形態（高機能プロジェクタモジュール）
３−１０．第１０の実施形態（高機能ライトモジュール）
４．まとめ
【００１４】
＜＜１．本開示の一実施形態による機能モジュールシステムの概要＞＞
まず、本開示の一実施形態による機能モジュールシステムの概要について図１を参照して説明する。図１に示すように、本実施形態による機能モジュールシステムＶは、それぞれ少なくとも１の機能を有する複数のモジュールが直列に接続されて構成される。
【００１５】
具体的には、図１に示すように、天井／側面に映像を投射する機能を有するプロジェクタモジュール１と、床側に映像を投射する機能を有するプロジェクタモジュール２と、照明機能を有するライトモジュール３と、音声出力機能を有するスピーカモジュール４と、検知機能を有するカメラ／センサモジュール５と、のうち少なくとも１種以上のモジュールを組み合わせて機能モジュールシステムＶが構成される。
【００１６】
各モジュール１〜５の筐体は、図１に示す直方体または立方体には限定されず、円柱体や多角体、球体等であってもよい。また、各モジュール１〜５には、他のモジュールと接続して電源供給を受けるための少なくとも１以上の電源接続部１ａ、１ｂ、２ａ、３ａ、３ｂ、４ａ、４ｂ、５ａが設けられている。電源接続部の構造については特に限定しないが、電源接続部は、照明器具用の電源供給部（図１では不図示）に直接接続することも可能であって、この場合照明器具用の電源供給部の規格に従った構造を有する。また、各モジュール１〜５の電源接続部は、天井に設けられた電源供給部と接続して機能モジュールシステムＶを吊り下げるための吊り下げ部材（図１では不図示）と接続することも可能である。
【００１７】
プロジェクタモジュール１は、他のモジュールまたは電源供給部と接続して電源供給を受けるための電源接続部１ａと、他のモジュールと接続して電源供給を行うための電源接続部１ｂと、投射部１２を有する。電源接続部１ａ、１ｂはそれぞれ対向する面に設けられ、投射部１２は電源接続部１ａが設けられている面（上面）に設けられている。これにより、プロジェクタモジュール２は、例えばプロジェクタモジュール２が電源供給部から吊り下げられた際に天井に映像を投射することが可能である。また、投射部１２は、電源接続部１ａが設けられている面（上面）と電源接続部１ｂが設けられている面（底面）との間に位置する側面に設けられていてもよい。これにより、プロジェクタモジュール２は、側面方向に映像を投射することが可能である。なお、プロジェクタモジュール２には、複数の投射部１２が設けられていてもよいし、投射方向が変更可能な構造を有することで複数方向への投射が可能な投射部１２が設けられていてもよい。
【００１８】
プロジェクタモジュール２は、他のモジュールまたは電源供給部と接続して電源供給を受けるための電源接続部２ａと、投射部２２を有する。電源接続部２ａと投射部２２はそれぞれ対向する面に設けられ、プロジェクタモジュール２が機能モジュールシステムＶの末端に接続された場合、下方向（床側方向）に向けて映像を投射すること可能である。
【００１９】
ライトモジュール３は、他のモジュールまたは電源供給部と接続して電源供給を受けるための電源接続部３ａと、他のモジュールと接続して電源供給を行うための電源接続部３ｂと、ライト部（照明部）３２を有する。電源接続部３ａ、３ｂはそれぞれ対向する面（上面、底面）に設けられ、ライト部３２は、筐体の中央に設けられる。ライト部３２は、例えばＬＥＤ（Ｌｉｇｈｔ  Ｅｍｉｔｔｉｎｇ  Ｄｉｏｄｅ）により実現される。また、ライトモジュール３は、複数の側面のうち少なくとも１以上の面が透過性を有する部材により形成され、筐体の内側に設けられているライト部３２の光を外側に透過し得る。
【００２０】
スピーカモジュール４は、他のモジュールまたは電源供給部と接続して電源供給を受けるための電源接続部４ａと、他のモジュールと接続して電源供給を行うための電源接続部４ｂと、スピーカ部（音声出力部）４２を有する。電源接続部４ａ、４はそれぞれ対向する面（上面、底面）に設けられ、スピーカ部４２は、筐体の側面に設けられている。また、スピーカ部４２はステレオであってもよい。
【００２１】
カメラ／センサモジュール５は、他のモジュールまたは電源供給部と接続して電源供給を受けるための電源接続部５ａと、カメラ／センサ部５２を有する。電源接続部５ａとカメラ／センサ部５２はそれぞれ対向する面に設けられる。カメラ／センサ部５２は、周辺状況を検出するセンサであって、例えば撮像センサ、人感センサ、測距センサ、またはＧセンサ（加速度センサ）等の少なくともいずれかにより実現される。例えばカメラ／センサ部５２が撮像センサにより実現され、カメラ／センサモジュール５が機能モジュールシステムＶの末端に接続された場合、カメラ／センサモジュール５は下方向を撮像すること可能である。
【００２２】
以上説明した複数の機能モジュールを用いて、例えば以下のような機能モジュールシステムＶが形成される。
【００２３】
例えば、プロジェクタモジュール１と、スピーカモジュール４と、ライトモジュール３と、カメラ／センサモジュール５とを順に接続して機能モジュールシステムＶ１００が形成される。この場合、プロジェクタモジュール１が照明器具用の電源供給部（不図示）に接続され、電源供給部から供給された電力が各モジュールに順に送られる。
【００２４】
また、ライトモジュール３と、スピーカモジュール４と、プロジェクタモジュール２とを順に接続して機能モジュールシステムＶ２００が形成される。この場合、ライトモジュール３が照明器具用の電源供給部（不図示）に接続され、電源供給部から供給された電力が各モジュールに順に送られる。
【００２５】
このように異なる機能を有するモジュールを複数接続して一体化した機能モジュールシステムＶを用いることで、リビングやダイニング等の空間の景観を損ねることなく、様々な機能を提供することができる。また、機能モジュールシステムＶを構成する各機能モジュールは、用途に応じて入れ替えたり、接続する順番を変更したりすることが可能である。
【００２６】
以上、本開示の一実施形態による機能モジュールシステムの概要について説明した。続いて、本開示による機能モジュールシステムに含まれる各機能モジュールの構成について図２〜図６を参照して説明する。
【００２７】
＜＜２．基本構成＞＞
＜２−１．プロジェクタモジュール（天井／側面タイプ）＞
図２は、本実施形態による天井／側面タイプのプロジェクタモジュール１の基本構成を示すブロック図である。図２に示すように、プロジェクタモジュール１は、電源接続部１ａ、１ｂ、投射部１２、および通信部１４を有する。電源接続部１ａ、１ｂ、および投射部１２については図１を参照して上述したのでここでの説明は省略する。
【００２８】
制御部１０は、例えばＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、不揮発性メモリ、インターフェース部を備えたマイクロコンピュータにより構成され、プロジェクタモジュール１の各構成を制御する。具体的には、本実施形態による制御部１０は、通信部１４を介して受信したデータ（デコードされたコンテンツデータ）から投射可能な画像データを抽出し、投射部１２から画像を投射するよう制御する。
【００２９】
通信部１４は、無線通信により外部装置と接続し、データの送受信を行う機能を有する。無線通信は、例えばＢｌｕｅｔｏｏｔｈ（登録商標）、赤外線通信、Ｗｉ−Ｆｉ（登録商標）等により実現される。また、本実施形態による通信部１４は、例えば後述するリモートコントローラ７またはクラウドサーバからコンテンツデータを受信し得る。
【００３０】
＜２−２．プロジェクタモジュール（床側タイプ）＞
図３は、本実施形態による床側タイプのプロジェクタモジュール２の基本構成を示すブロック図である。図３に示すように、プロジェクタモジュール２は、電源接続部２ａ、投射部２２、および通信部２４を有する。これらの構成の機能は、上述したプロジェクタモジュール１の各構成の機能と同様であるので、ここでの詳細な説明は省略する。
【００３１】
＜２−３．ライトモジュール＞
図４は、本実施形態によるライトモジュール３の基本構成を示すブロック図である。図４に示すように、ライトモジュール３は、電源接続部３ａ、３ｂ、ライト部３２、および通信部３４を有する。電源接続部３ａ、３ｂ、およびライト部３２については図１を参照して上述したのでここでの説明は省略する。また、通信部３４の機能はプロジェクタモジュール１の通信部１４と同様である。
【００３２】
制御部３０は、通信部３４を介して受信したデータ（デコードされたコンテンツデータ）からライトパターンのデータを抽出し、抽出したライトパターンに従ってライト部３２による点灯を制御する。ここで、ライトパターンとは、例えばライトの色、輝度、点滅等のパターンである。
【００３３】
＜２−４．スピーカモジュール＞
図５は、本実施形態によるスピーカモジュール４の基本構成を示すブロック図である。図５に示すように、スピーカモジュール４は、電源接続部４ａ、４ｂ、スピーカ部４２ａ、４２ｂおよび通信部４４を有する。電源接続部４ａ、４ｂ、およびスピーカ部４２（４２ａ、４２ｂ）については図１を参照して上述したのでここでの説明は省略する。また、通信部４４の機能はプロジェクタモジュール１の通信部１４と同様である。
【００３４】
制御部４０は、通信部４４を介して受信したデータ（デコードされたコンテンツデータ）からスピーカ出力可能なオーディオ信号を抽出し、スピーカ部４２から音声出力するよう制御する。
【００３５】
＜２−５．カメラ／センサモジュール＞
図６は、本実施形態によるカメラ／センサモジュール５の基本構成を示すブロック図である。図６に示すように、カメラ／センサモジュール５は、電源接続部５ａ、カメラ／センサ部５２、および通信部５４を有する。電源接続部５ａ、およびカメラ／センサ部５２については図１を参照して上述したのでここでの説明は省略する。また、通信部５４の機能はプロジェクタモジュール１の通信部１４と同様である。
【００３６】
制御部５０は、通信部５４を介して受信したコマンドに従って、カメラ／センサ部５２によりカメラ／センサデータを取得し、取得したカメラ／センサデータを返信するよう制御する。
【００３７】
以上、本実施形態による機能モジュールシステムに含まれる各機能モジュールの構成について詳細に説明した。ここで、上述した各機能モジュールが複数接続された機能モジュールシステムＶは、外部装置からの指示に従って動作し得る。本実施形態では、外部装置の一例としてリモートコントローラ７を用い、以下図７を参照して具体的に説明する。
【００３８】
＜２−６．リモートコントローラ＞
リモートコントローラ７は、スマートフォン、携帯電話、タブレット端末、ＰＤＡ（Ｐｅｒｓｏｎａｌ  Ｄｉｇｉｔａｌ  Ａｓｓｉｓｔａｎｔ）、メガネ型端末、時計型端末、ＰＣ（パーソナルコンピュータ）、ゲーム機等の情報処理装置により実現され得る。
【００３９】
図７は、本実施形態によるリモートコントローラ７の基本構成を示すブロック図である。図７に示すように、リモートコントローラ７は、制御部７０、記憶部７１、通信部７２、デコーダ部７３、およびユーザＩ／Ｆ（インターフェース）部７４を有する。
【００４０】
制御部７０は、例えばＣＰＵ、ＲＯＭ、ＲＡＭ、不揮発性メモリ、インターフェース部を備えたマイクロコンピュータにより構成され、リモートコントローラ７の各構成を制御する。具体的には、本実施形態による制御部７０は、ユーザＩ／Ｆ部７４から入力された再生指示に従って、記憶部７１に記憶されているコンテンツをデコーダ部７３でデコードし、デコードしたコンテンツデータ（画像、音声、ライトパターン等）を、機能モジュールシステムＶに含まれる各機能モジュールに通信部７２から送信するよう制御する。
【００４１】
記憶部７１は、機能モジュールシステムで再生されるコンテンツを記憶する。また、記憶部７１は、主制御部７０が各種処理を実行するためのプログラム等を記憶する
【００４２】
通信部７２は、無線通信により各機能モジュールと接続し、データの送受信を行う機能を有する。無線通信は、例えばＢｌｕｅｔｏｏｔｈ（登録商標）、赤外線通信、Ｗｉ−Ｆｉ（登録商標）等により実現される。また、本実施形態による通信部７２は、クラウドサーバからコンテンツデータを受信してもよい。
【００４３】
デコーダ部７３は、符号化されて記憶されているコンテンツデータをデコードする機能を有する。
【００４４】
ユーザＩ／Ｆ（インターフェース）部７４は、出力機能および入力機能を有し、ユーザへの情報出力およびユーザからの情報入力を行う。出力機能としては、例えば表示部や音声出力部（スピーカ）が挙げられる。表示部は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）等により実現され、制御部７０の指示に従ってメニュー画面や操作画面等を表示する。入力機能としては、例えば操作入力部や収音部（マイクロフォン）が挙げられる。操作入力部は、ボタン、スイッチ等の他、表示画面への操作入力を受け付けるタッチセンサにより実現される。
【００４５】
＜＜３．各実施形態＞＞
続いて、本開示の一実施形態による機能モジュールシステムについて、複数の実施形態を用いて具体的に説明する。
【００４６】
＜３−１．第１の実施形態＞
第１の実施形態では、プロジェクタおよびスピーカの機能を有する機能モジュールシステムＶ１について、図８〜図９を参照して説明する。
【００４７】
（配置構成）
図８は、第１の実施形態による機能モジュールシステムＶ１の配置構成を説明するための図である。図８に示すように、機能モジュールシステムＶ１は、天井に設けられた照明器具用の電源供給部６０に、吊り下げ部材６１を介して接続されるプロジェクタモジュール１と、プロジェクタモジュール１に接続されるスピーカモジュール４により構成される。
【００４８】
プロジェクタモジュール１は、電源供給部６０から電源を受給しつつ、かつ、プロジェクタモジュール１に接続されているスピーカモジュール４に電源を供給する。
【００４９】
また、機能モジュールシステムＶ１は、ユーザが所持するスマートフォン等で実現されるリモートコントローラ７により制御される。
【００５０】
プロジェクタモジュール１は、リモートコントローラ７から送信されたデータから投射可能な画像データを抽出し、図８に示すように、天井に対して画像Ｐ１（静止画／動画）を投影する。また、スピーカモジュール４は、リモートコントローラ７から送信されたデータからスピーカ出力可能なオーディオを抽出し、音声出力する。
【００５１】
図８に示す例では、天井に月夜の画像が投射され、また、スピーカモジュール４からは夜の自然音（鳥やカエル、虫の鳴き声や、風や雨の音等）が再生される。
【００５２】
これにより、例えば居住空間に新たな表示装置やスクリーン、窓等を設置することなく、所定の景色と、音楽や自然音等を出現させ、居住者がリラックスできる快適な空間を提供することができる。また、これらを実現するプロジェクタモジュール１とスピーカモジュール４は、図８に示すように直列に接続された上で、予め設置されている照明器具用の電源供給部６０に接続されるので、景観を損ねることなく居住空間に設置することができる。
【００５３】
（動作処理）
続いて、本実施形態の動作処理について図９を参照して説明する。図９は、第１の実施形態による機能モジュールシステムＶ１に含まれるプロジェクタモジュール１およびスピーカモジュール４と、リモートコントローラ７の動作処理を示すシーケンス図である。図９に示すように、まず、ステップＳ１０３において、リモートコントローラ７のユーザＩ／Ｆ部７４は、再生指示の入力を受付ける。
【００５４】
次に、ステップＳ１０６において、リモートコントローラ７の制御部７０は、再生指示の入力に応じて、記憶部７１からコンテンツを読み出し、デコーダ部７３でデコードする。
【００５５】
次いで、ステップＳ１０９において、リモートコントローラ７の制御部７０は、デコードされたコンテンツデータ（ここでは、例えば画像と音声）を、機能モジュールシステムＶ１を構成するプロジェクタモジュール１およびスピーカモジュール４に送信する。
【００５６】
続いて、ステップＳ１１２において、プロジェクタモジュール１は、リモートコントローラ７から送信されたデータを受信する。
【００５７】
次に、ステップＳ１１５において、プロジェクタモジュール１の制御部１０は、受信したデータから投射可能な画像を抽出し、投射部１２に送る。
【００５８】
そして、ステップＳ１１８において、投射部１２は、画像を投射する。
【００５９】
一方、ステップＳ１２１において、スピーカモジュール４は、リモートコントローラ７から送信されたデータを受信する。
【００６０】
次に、ステップＳ１２４において、スピーカモジュール４の制御部４０は、受信したデータからスピーカ出力可能なオーディオを抽出し、スピーカ部４２に送る。
【００６１】
そして、ステップＳ１２７において、スピーカ部４２は、抽出されたオーディオを出力する。
【００６２】
以上、本実施形態の動作処理について説明した。なおステップＳ１１２〜Ｓ１１８と、ステップＳ１２１〜Ｓ１２７は並行して処理されてもよい。
【００６３】
＜３−２．第２の実施形態＞
続いて、第２の実施形態では、プロジェクタ、スピーカ、およびライトの機能を有する機能モジュールシステムＶ２について、図１０〜図１１を参照して説明する。
【００６４】
（配置構成）
図１０は、第２の実施形態による機能モジュールシステムＶ２の配置構成を説明するための図である。図１０に示すように、機能モジュールシステムＶ２は、天井に設けられた照明器具用の電源供給部６０に、吊り下げ部材６１を介して接続されるプロジェクタモジュール１と、プロジェクタモジュール１に接続されるスピーカモジュール４と、スピーカモジュール４に接続されるライトモジュール３により構成される。
【００６５】
プロジェクタモジュール１は、電源供給部６０から電源を受給しつつ、かつ、プロジェクタモジュール１に接続されているスピーカモジュール４に電源を供給する。また、スピーカモジュール４は、プロジェクタモジュール１から電源を受給しつつ、かつ、スピーカモジュール４に接続されているライトモジュール３に電源を供給する。
【００６６】
また、機能モジュールシステムＶ２は、ユーザが所持するスマートフォン等で実現されるリモートコントローラ７（図１０には不図示）により制御される。
【００６７】
プロジェクタモジュール１は、リモートコントローラ７から送信されたデータから投射可能な画像データを抽出し、図１０に示すように、天井に対して画像Ｐ１を投影する。また、スピーカモジュール４は、リモートコントローラ７から送信されたデータからスピーカ出力可能なオーディオを抽出し、音声出力する。さらに、ライトモジュール３は、リモートコントローラ７から送信されたデータからライトパターンを抽出し、ライトパターンに従って照明の制御を行う。
【００６８】
なお、図１０に示す例では、複数の機能モジュールシステムＶ２−１〜Ｖ２−４が設置され、各プロジェクタモジュール１から天井に向けて画像Ｐ１−１〜Ｐ１−４が投射されている。
【００６９】
図１０に示す例では、天井に月夜の画像が投射され、また、スピーカモジュール４からは夜の自然音（鳥やカエル、虫の鳴き声や、風や雨の音等）が再生され、さらにライトモジュール３からは、投射されている月夜の画像に応じた色の照明が行われる。
【００７０】
これにより、例えば居住空間に新たな表示装置やスクリーン、窓等を設置することなく、所定の景色と、音楽や自然音、光等を出現させ、居住者がリラックスできる快適な空間を提供することができる。また、これらを実現するプロジェクタモジュール１、スピーカモジュール４、ライトモジュール３は、図１０に示すように直列に接続された上で、予め設置されている照明器具用の電源供給部６０に接続されるので、景観を損ねることなく居住空間に設置することができる。
【００７１】
（動作処理）
続いて、本実施形態の動作処理について図１１を参照して説明する。図１１は、第２の実施形態による機能モジュールシステムＶ２に含まれるプロジェクタモジュール１、スピーカモジュール４、およびライトモジュール３と、リモートコントローラ７の動作処理を示すシーケンス図である。図１１に示すように、まず、ステップＳ２０３において、リモートコントローラ７のユーザＩ／Ｆ部７４は、再生指示の入力を受付ける。
【００７２】
次に、ステップＳ２０６において、リモートコントローラ７の制御部７０は、再生指示の入力に応じて、記憶部７１からコンテンツを読み出し、デコーダ部７３でデコードする。
【００７３】
次いで、ステップＳ２０９において、リモートコントローラ７の制御部７０は、デコードされたコンテンツデータ（ここでは、例えば画像と音声とライトパターン）を、機能モジュールシステムＶ２を構成するプロジェクタモジュール１、スピーカモジュール４、およびライトモジュール３に送信する。
【００７４】
続くステップＳ２１２〜Ｓ２２７の処理は、図９を参照して説明したステップＳ１１２〜Ｓ１２７に示す処理と同様に行われる。
【００７５】
次に、ステップＳ２３０において、ライトモジュール３は、リモートコントローラ７から送信されたデータを受信する。
【００７６】
次いで、ステップＳ２３３において、ライトモジュール３の制御部３０は、受信したデータからライトパターンを抽出する。
【００７７】
そして、ステップＳ２３６において、ライトモジュール３の制御部３０は、抽出したライトパターンに応じてライト部３２による照明を制御する。
【００７８】
以上、本実施形態の動作処理について説明した。なおステップＳ２１２〜Ｓ２１８、ステップＳ２２１〜Ｓ２２７、およびステップＳ２３０〜Ｓ２３６は並行して処理されてもよい。
【００７９】
＜３−３．第３の実施形態＞
続いて、第３の実施形態では、ライト、スピーカ、およびプロジェクタの機能を有する機能モジュールシステムＶ３について、図１２〜図１３を参照して説明する。
【００８０】
（配置構成）
図１２は、第３の実施形態による機能モジュールシステムＶ３の配置構成を説明するための図である。図１２に示すように、機能モジュールシステムＶ３は、天井に設けられた照明器具用の電源供給部６０に、吊り下げ部材６１を介して接続されるライトモジュール３と、ライトモジュール３に接続されるスピーカモジュール４と、スピーカモジュール４に接続されるプロジェクタモジュール２により構成される。
【００８１】
ライトモジュール３は、電源供給部６０から電源を受給しつつ、かつ、ライトモジュール３に接続されているスピーカモジュール４に電源を供給する。また、スピーカモジュール４は、ライトモジュール３から電源を受給しつつ、かつ、スピーカモジュール４に接続されているプロジェクタモジュール２に電源を供給する。
【００８２】
また、機能モジュールシステムＶ３は、ユーザが所持するスマートフォン等で実現されるリモートコントローラ７（図１２には不図示）により制御される。
【００８３】
ライトモジュール３は、リモートコントローラ７から送信されたデータからライトパターンを抽出し、ライトパターンに従って照明の制御を行う。また、スピーカモジュール４は、リモートコントローラ７から送信されたデータからスピーカ出力可能なオーディオを抽出し、音声出力する。さらに、プロジェクタモジュール２は、リモートコントローラ７から送信されたデータから投射可能な画像データを抽出し、図１２に示すように、下方向（床側）に対して画像Ｐ２（静止画／動画）を投影する。
【００８４】
図１２に示す例では、テーブルの上に、海を上から見た海面の画像が投射され、また、ライトモジュール３からは、投射されている海面に応じた色の照明が行われ、スピーカモジュール４からは波の音が再生される。
【００８５】
これにより、例えば居住空間に新たな表示装置やスクリーン、窓等を設置することなく、所定の景色と、音楽や自然音、光等を出現させ、居住者がリラックスできる快適な空間を提供することができる。また、これらを実現する各モジュールは、図１２に示すように直列に接続された上で、予め設置されている照明器具用の電源供給部６０に接続されるので、景観を損ねることなく居住空間に設置することができる。
【００８６】
（動作処理）
続いて、本実施形態の動作処理について図１３を参照して説明する。図１３は、第３の実施形態による機能モジュールシステムＶ３に含まれるライトモジュール３、スピーカモジュール４、およびプロジェクタモジュール２と、リモートコントローラ７の動作処理を示すシーケンス図である。図１３に示すように、まず、ステップＳ３０３において、リモートコントローラ７のユーザＩ／Ｆ部７４は、再生指示の入力を受付ける。
【００８７】
次に、ステップＳ３０６において、リモートコントローラ７の制御部７０は、再生指示の入力に応じて、記憶部７１からコンテンツを読み出し、デコーダ部７３でデコードする。
【００８８】
次いで、ステップＳ３０９において、リモートコントローラ７の制御部７０は、デコードされたコンテンツデータ（ここでは、例えば画像と音声とライトパターン）を、機能モジュールシステムＶ３を構成するライトモジュール３、スピーカモジュール４、およびプロジェクタモジュール２に送信する。
【００８９】
続くステップＳ３１２〜Ｓ３１８の処理とＳ３２１〜Ｓ３２７の処理は、図１１を参照して説明したステップＳ２３０〜Ｓ１３６に示す処理と、ステップＳ２２１〜Ｓ２２７に示す処理とそれぞれ同様に行われる。
【００９０】
次に、ステップＳ３３０において、プロジェクタモジュール２は、リモートコントローラ７から送信されたデータを受信する。
【００９１】
次いで、ステップＳ３３３において、プロジェクタモジュール２の制御部２０は、受信したデータから投射可能な画像を抽出し、投射部２２に送る。
【００９２】
そして、ステップＳ３３６において、投射部２２は、画像を投射する。
【００９３】
以上、本実施形態の動作処理について説明した。なおステップＳ３１２〜Ｓ３１８、ステップＳ３２１〜Ｓ３２７、およびステップＳ３３０〜Ｓ３３６は並行して処理されてもよい。
【００９４】
＜３−４．第４の実施形態＞
続いて、第４の実施形態では、プロジェクタ、スピーカ、ライトおよびカメラ／センサの機能を有する機能モジュールシステムＶ４について、図１４〜図１５を参照して説明する。
【００９５】
（配置構成）
図１４は、第４の実施形態による機能モジュールシステムＶ４の配置構成を説明するための図である。図１４に示すように、機能モジュールシステムＶ４は、天井に設けられた照明器具用の電源供給部６０に、吊り下げ部材６１を介して、プロジェクタモジュール１、スピーカモジュール４、ライトモジュール３、カメラ／センサモジュール５が順次接続されることにより構成される。
【００９６】
機能モジュールシステムＶ４は、ユーザ８が所持するスマートフォン等で実現されるリモートコントローラ７（図１４では不図示）により制御される。
【００９７】
プロジェクタモジュール１は、リモートコントローラ７から送信されたデータから投射可能な画像データを抽出し、図１４に示すように、天井に対して画像Ｐ１を投影する。また、スピーカモジュール４は、リモートコントローラ７から送信されたデータからスピーカ出力可能なオーディオを抽出し、音声出力する。さらに、ライトモジュール３は、リモートコントローラ７から送信されたデータからライトパターンを抽出し、ライトパターンに従って照明の制御を行う。
【００９８】
また、カメラ／センサモジュール５は、リモートコントローラ７からの要求に応じて周囲の状況を検知してカメラ／センサデータを取得し、返信する。例えば、カメラ／センサモジュール５は、ユーザ８（被写体）を撮像し、リモートコントローラ７に返信する。リモートコントローラ７は、当該撮像画像を解析してユーザ８の位置や姿勢、視線方向等を認識し、認識結果に応じて、機能モジュールシステムＶ４のプロジェクタモジュール１から投射する画像のリサイズや、投射位置（方向）の調整、コンテンツ内容の変更等を行う。具体的には、例えばリモートコントローラ７は、ユーザ８が天井を凝視したり、立ち上がって（ユーザ８がカメラ／センサモジュール５に近付いて）上を見たり等、天井の画像Ｐ１に注目している場合は、画像Ｐ１をズームして見やすくする。
【００９９】
また、カメラ／センサモジュール５は、ユーザ８が閲覧している投影画像９１（プロジェクタ９により壁に対して投射されている画像）を撮像してリモートコントローラ７に返信してもよい。この場合、リモートコントローラ７は、当該撮像画像を解析して投影画像９１の内容（投影画像９１に含まれるオブジェクトや色）を認識し、認識結果に応じて、機能モジュールシステムＶ４で提供するコンテンツ内容の変更等を行う。具体的には、例えばリモートコントローラ７は、投影画像９１に青空の映像が含まれる場合は、青空の空間を提供するコンテンツを選択し、投影画像９１に宇宙の映像が含まれる場合は、宇宙の空間を提供するコンテンツを選択する。
【０１００】
図１４に示す例では、天井に青空の画像が投射され、また、スピーカモジュール４からは自然音（鳥の鳴き声や、風の音等）が再生され、さらにライトモジュール３からは、投射されている青空の画像に応じた色の照明が行われることで、青空の空間が提供されている。
【０１０１】
これにより、例えば居住空間に新たな表示装置やスクリーン、窓等を設置することなく、所定の景色と、音楽や自然音、光等を出現させ、居住者がリラックスできる快適な空間を提供することができる。また、これらを実現するプロジェクタモジュール１、スピーカモジュール４、ライトモジュール３、カメラ／センサモジュール５は、図１４に示すように直列に接続された上で、予め設置されている照明器具用の電源供給部６０に接続されるので、景観を損ねることなく居住空間に設置することができる。
【０１０２】
（動作処理）
続いて、本実施形態の動作処理について図１５を参照して説明する。図１５は、第４の実施形態による機能モジュールシステムＶ４に含まれるプロジェクタモジュール１、スピーカモジュール４、ライトモジュール３、およびカメラ／センサモジュール５と、リモートコントローラ７の動作処理を示すシーケンス図である。図１５に示すように、まず、ステップＳ４０３において、リモートコントローラ７のユーザＩ／Ｆ部７４は、再生指示の入力を受付ける。
【０１０３】
次に、ステップＳ２０６において、リモートコントローラ７の制御部７０は、再生指示の入力に応じて、記憶部７１からコンテンツを読み出し、デコーダ部７３でデコードする。この際、制御部７０は、他のプロジェクタ９が再生しているコンテンツのメタデータをプロジェクタ９から取得し、メタデータに応じて現在再生されているコンテンツと雰囲気が似ている（すなわち、同じ属性の）コンテンツを選択してもよい。
【０１０４】
次いで、ステップＳ４０９において、リモートコントローラ７の制御部７０は、デコードされたコンテンツデータ（ここでは、例えば画像と音声とライトパターン）を、機能モジュールシステムＶ４を構成するプロジェクタモジュール１、スピーカモジュール４、およびライトモジュール３に送信する。
【０１０５】
続くステップＳ４１２〜Ｓ４３６の処理は、図１１に示すステップＳ２１２〜Ｓ２３６に示す処理と同様に行われる。
【０１０６】
次に、ステップＳ４３９において、リモートコントローラ７は、カメラ／センサデータの取得要求をカメラ／センサモジュール５に転送する。
【０１０７】
次いで、ステップＳ４４２において、カメラ／センサモジュール５は、リモートコントローラ７から送信されたデータを受信する。
【０１０８】
次に、ステップＳ４４５において、カメラ／センサモジュール５は、カメラ／センサ部５２によりデータを取得し、ステップＳ４４８において、リモートコントローラ７に返信する。具体的には、カメラ／センサ部５２は、ユーザ８または他のプロジェクタ９により投射されている投影画像９１を撮像する。
【０１０９】
続いて、ステップＳ４５１において、リモートコントローラ７は、カメラ／センサデータ（ここでは、撮像画像）を受信する。
【０１１０】
次いで、ステップＳ４５４において、リモートコントローラ７の制御部７０は、受信した撮像画像に基づいて、ユーザ８（被写体）の距離（カメラ／センサモジュール５とユーザ８との距離）や、ユーザ８が居る場所、姿勢、視線方向、投影画像９１に含まれるオブジェクトや色の解析を行う。
【０１１１】
次に、ステップＳ４５７において、制御部７０は、解析結果に応じて、機能モジュールシステムＶ４に含まれるプロジェクタモジュール１から投射する画像Ｐ１のリサイズや、投射位置の調整、コンテンツ内容の変更等を行う。例えばユーザ８との距離の変化（近い／遠い）に応じて、制御部７０は、天井に投射している画像Ｐ１をズームイン／アウトするようにしてもよい。
【０１１２】
そして、制御部７０は、解析結果に応じてコンテンツ内容を変更する場合は、上記Ｓ４０６に戻って新たにコンテンツ内容をデコードしてデコードしたコンテンツデータをプロジェクタモジュール１等に転送する。また、制御部７０は、投射画像のリサイズや投射位置の調整等の場合は、リサイズした投射画像や投射位置の変更信号をプロジェクタモジュール１に転送する。
【０１１３】
本実施形態では、上述したＳ４０６〜Ｓ４５７が継続的に繰り返される。これにより、カメラ／センサモジュール５により継続的に取得されたカメラ／センサデータに変化があった場合に、リアルタイムでコンテンツ内容の変更や調整を行い、機能モジュールシステムＶ４からの出力内容に反映させることができる。
【０１１４】
以上、本実施形態の動作処理について説明した。なおステップＳ４１２〜Ｓ４１８、ステップＳ４２１〜Ｓ４２７、ステップＳ４３０〜Ｓ４３６、およびＳ４３９〜Ｓ４５７は並行して処理されてもよい。
【０１１５】
＜３−５．第５の実施形態＞
続いて、第５の実施形態では、スピーカ、ライト、およびカメラ／センサの機能を有する機能モジュールシステムＶ５について、図１６〜図１７を参照して説明する。
【０１１６】
（配置構成）
図１６は、第５の実施形態による機能モジュールシステムＶ５の配置構成を説明するための図である。図１６に示すように、機能モジュールシステムＶ５は、天井に設けられた照明器具用の電源供給部６０に、吊り下げ部材６１を介して、スピーカモジュール４、ライトモジュール３、カメラ／センサモジュール５が順次接続されることにより構成される。
【０１１７】
機能モジュールシステムＶ５は、ユーザ８が所持するスマートフォン等で実現されるリモートコントローラ７（図１６には不図示）により制御される。
【０１１８】
スピーカモジュール４は、リモートコントローラ７から送信されたデータからスピーカ出力可能なオーディオを抽出し、音声出力する。さらに、ライトモジュール３は、リモートコントローラ７から送信されたデータからライトパターンを抽出し、ライトパターンに従って照明の制御を行う。
【０１１９】
また、カメラ／センサモジュール５は、第４の実施形態と同様に、リモートコントローラ７からの要求に応じてカメラ／センサデータを取得し、返信する。例えば、カメラ／センサモジュール５は、ユーザ８（被写体）を撮像し、リモートコントローラ７に返信する。また、カメラ／センサモジュール５は、他のプロジェクタ９により壁に対して投射されている投影画像９２を撮像してリモートコントローラ７に返信してもよい。
【０１２０】
図１６に示す例では、プロジェクタ９により海に沈む夕日を眺めるベランダの投影画像９２（静止画／動画）が壁に投射されている。リモートコントローラ７は、プロジェクタ９からコンテンツ（海に沈む夕日を眺めるベランダの投影画像９２）のメタデータに応じて、似た雰囲気の（例えば同じ「夕日」という属性を有する）コンテンツ（夕日の空間等）を選択し、当該コンテンツのデータ（音声、ライトパターン）を機能モジュールシステムＶ５に転送してもよい。または、リモートコントローラ７は、カメラ／センサモジュール５により撮像された投影画像９２の画像色（例えばオレンジ）を検出し、当該画像色に応じた色（例えば同じ色味）で照明するようライトモジュール３を制御する。
【０１２１】
これにより、例えば居住空間に新たな表示装置やスクリーン、窓等を設置することなく、室内の雰囲気に合った色や音を出現させ、居住者がリラックスできる快適な空間を提供することができる。また、これらを実現するスピーカモジュール４、ライトモジュール３、カメラ／センサモジュール５は、図１６に示すように直列に接続された上で、予め設置されている照明器具用の電源供給部６０に接続されるので、景観を損ねることなく居住空間に設置することができる。
【０１２２】
（動作処理）
続いて、本実施形態の動作処理について図１７を参照して説明する。図１７は、第５の実施形態による機能モジュールシステムＶ５に含まれるスピーカモジュール４、ライトモジュール３、およびカメラ／センサモジュール５と、リモートコントローラ７の動作処理を示すシーケンス図である。図１７に示すように、まず、ステップＳ５０３において、リモートコントローラ７のユーザＩ／Ｆ部７４は、再生指示の入力を受付ける。
【０１２３】
次に、ステップＳ２０６において、リモートコントローラ７の制御部７０は、再生指示の入力に応じて、記憶部７１からコンテンツを読み出し、デコーダ部７３でデコードする。
【０１２４】
次いで、ステップＳ４０９において、リモートコントローラ７の制御部７０は、デコードされたコンテンツデータ（ここでは、例えば音声とライトパターン）を、機能モジュールシステムＶ５を構成するスピーカモジュール４およびライトモジュール３に送信する。
【０１２５】
続くステップＳ５１２〜Ｓ５３６の処理は、図１５に示すステップＳ４１２〜Ｓ４３６に示す処理と同様に行われる。
【０１２６】
また、次のステップＳ５３９〜Ｓ５５１も、図１５に示すステップＳ４３９〜Ｓ４５１に示す処理と同様に行われる。
【０１２７】
次いで、ステップＳ５５４において、リモートコントローラ７の制御部７０は、受信した撮像画像に基づいて、空間の環境を解析する。具体的には、例えば制御部７０は、撮像画像に基づいて、プロジェクタ９による投影画像９１の色を検出する。
【０１２８】
次に、ステップＳ５５７において、制御部７０は、解析結果に応じて、機能モジュールシステムＶ５に含まれるスピーカモジュール４から再生する音声やライトモジュール３による照明を変更する。
【０１２９】
そして、制御部７０は、解析結果に応じてコンテンツ内容を変更する場合は、上記Ｓ５０６に戻って新たにコンテンツ内容をデコードしてデコードしたコンテンツデータ（音声、ライトパターン）をスピーカモジュール４やライトモジュール３に転送する。
【０１３０】
本実施形態では、上述したＳ５０６〜Ｓ５５７が継続的に繰り返される。これにより、カメラ／センサモジュール５により継続的に取得されたカメラ／センサデータに変化があった場合に、リアルタイムでコンテンツ内容の変更を行い、機能モジュールシステムＶ５からの出力内容に反映させることができる。
【０１３１】
以上、本実施形態の動作処理について説明した。なおステップＳ５２１〜Ｓ５２７、ステップＳ５３０〜Ｓ５３６、およびＳ５３９〜Ｓ５５７は並行して処理されてもよい。
【０１３２】
＜３−６．第６の実施形態＞
続いて、第６の実施形態では、スピーカの機能と照明器具を有する機能モジュールシステムＶ６について、図１８〜図１９を参照して説明する。
【０１３３】
（配置構成）
図１８は、第６の実施形態による機能モジュールシステムＶ６の配置構成を説明するための図である。図１８に示すように、機能モジュールシステムＶ６は、天井に設けられた照明器具用の電源供給部６０に、複数のスピーカモジュール４−１、４−２と、照明器具１００が接続されることにより構成される。
【０１３４】
照明器具１００には、接続するスピーカモジュール４−２から電源が供給される。照明器具１００のＯＮ／ＯＦＦは、リモートコントローラ７により制御されてもよいし、別途設けられた電源スイッチにより制御されてもよい。
【０１３５】
また、機能モジュールシステムＶ６は、ユーザ８が所持するスマートフォン等で実現されるリモートコントローラ７（図１８には不図示）により制御される。
【０１３６】
スピーカモジュール４は、リモートコントローラ７から送信されたデータからスピーカ出力可能なオーディオを抽出し、音声出力する。
【０１３７】
これにより、例えば居住空間に新たなオーディオ装置を設置することなく、所定の音を出現させ、居住者がリラックスできる快適な空間を提供することができる。また、これらを実現する複数のスピーカモジュール４−１、４−２は、図１８に示すように直列に接続された上で、予め設置されている照明器具用の電源供給部６０に接続されるので、景観を損ねることなく居住空間に設置することができる。
【０１３８】
また、図１８に示すように、機能モジュールシステムＶ６には通常の照明器具を接続することも可能であるので、通常の照明器具に追加したい機能（プロジェクタ、スピーカ、ライト、カメラ／センサ）を用途に応じて景観を損ねることなく設置することができる。
【０１３９】
また、上述した各実施形態では、異なる機能を有する複数の機能モジュールを直列に接続して機能モジュールシステムＶを構成していが、本実施形態はこれに限定されず、同じ機能を有する複数の機能モジュールを接続して構成したり、さらに通常の照明器具を接続して構成してもよい。
【０１４０】
（動作処理）
続いて、本実施形態の動作処理について図１９を参照して説明する。図１９は、第６の実施形態による機能モジュールシステムＶ６に含まれる複数のスピーカモジュール４−１、４−２と、リモートコントローラ７の動作処理を示すシーケンス図である。図１９に示すように、まず、ステップＳ６０３において、リモートコントローラ７のユーザＩ／Ｆ部７４は、再生指示の入力を受付ける。
【０１４１】
次に、ステップＳ６０６において、リモートコントローラ７の制御部７０は、再生指示の入力に応じて、記憶部７１からコンテンツを読み出し、デコーダ部７３でデコードする。
【０１４２】
次いで、ステップＳ６０９において、リモートコントローラ７の制御部７０は、デコードされたコンテンツデータ（ここでは、例えばライトパターン）を、機能モジュールシステムＶ６を構成する複数のスピーカモジュール４−１、４−２に送信する。
【０１４３】
続くステップＳ６１２〜Ｓ６２７の処理は、図１１に示すステップＳ２２１〜Ｓ２２７に示す処理と同様に行われる。
【０１４４】
以上、本実施形態の動作処理について説明した。なおステップＳ６１２〜Ｓ６１８、およびステップＳ６２１〜Ｓ６２７は並行して処理されてもよい。
【０１４５】
＜３−７．第７の実施形態＞
続いて、第７の実施形態では、ライトの機能を有する機能モジュールシステムＶ７について、図２０〜図２１を参照して説明する。
【０１４６】
（配置構成）
図２０は、第７の実施形態による機能モジュールシステムＶ７の配置構成を説明するための図である。図２０に示すように、機能モジュールシステムＶ７は、天井に設けられた照明器具用の電源供給部６０に、吊り下げ部材６１を介して接続された複数のライトモジュール３−１、３−２、３−３、３−４、３−５により構成される。
【０１４７】
ライトモジュール３−１〜３−５は、リモートコントローラ７により制御されてもよいし、別途設けられた電源スイッチにより制御されてもよい。
【０１４８】
これにより、例えば居住空間に新たな照明装置を多数設置することなく、複数のライトモジュール３−１〜３−５を、図２０に示すように直列に接続した上で、予め設置されている照明器具用の電源供給部６０に接続されるので、景観を損ねることなく居住空間に設置することができる。
【０１４９】
（動作処理）
続いて、本実施形態の動作処理について図２１を参照して説明する。図２１は、第７の実施形態による機能モジュールシステムＶ７に含まれる複数のライトモジュール３−１〜３−５の動作処理を示すシーケンス図である。ここでは、電源スイッチにより複数のライトモジュール３−１〜３−５のＯＮ／ＯＦＦが制御される場合について説明する。
【０１５０】
図２１に示すように、まず、ステップＳ７０３において、電源スイッチがＯＮされると、電源供給部６０からの電源供給が開始される。
【０１５１】
次に、ステップＳ７０６において、ライトモジュール３−１は、電源供給部６０から電源を受給する。
【０１５２】
次いで、ステップＳ７０９において、ライトモジュール３−１は、ライト部３２を点灯するよう制御する。
【０１５３】
続いて、ステップＳ７１２において、ライトモジュール３−１は、接続されているライトモジュール３−２に電源供給を行う。
【０１５４】
以降、ステップＳ７１５〜Ｓ７２７において、ライトモジュール３−２〜３−５は、電源受給と点灯制御、さらに他のライトモジュールが接続されている場合は他のライトモジュールに電源供給を行う。
【０１５５】
以上、本実施形態の動作処理について説明した。なおステップＳ７０６〜Ｓ７０９と、Ｓ７１２は、並列して処理されてもよい。また、ステップＳ７１５〜Ｓ７１８と、Ｓ７２１は、並列して処理されてもよい。
【０１５６】
＜３−８．第８の実施形態＞
続いて、第８の実施形態では、ライト、プロジェクタ、およびカメラ／センサの機能を有する機能モジュールシステムＶ８について、図２２〜図２６を参照して説明する。
【０１５７】
（配置構成）
図２２は、第８の実施形態による機能モジュールシステムＶ８の配置構成を説明するための図である。図２３は、図２２に示す配置構成の上面図である。
【０１５８】
本実施形態では、複数の機能モジュールシステムＶ８−１、Ｖ８−２、Ｖ８−３が空間内において多方向に向けて設置され、各機能モジュールシステムＶ８−１、Ｖ８−２、Ｖ８−３を連携して動作させる。具体的には、例えば図２２および図２３に示すように、機能モジュールシステムＶ８−１が天井に設けられ、機能モジュールシステムＶ８−２がテーブル上に設けられ、機能モジュールシステムＶ８−３が側面の壁に設けられる。
【０１５９】
どの方向に向けて設置された機能モジュールシステムＶ８−１〜Ｖ８−３であっても、機能モジュールシステムＶ８に含まれるライトモジュール３ｘが、照明器具用の電源供給部６０（図２２、図２３では不図示）に接続される。
【０１６０】
また、第８の実施形態による機能モジュールシステムＶ８を構成するライトモジュール３ｘ、プロジェクタモジュール１ｘ、およびカメラ／センサモジュール５ｘは、図２２、図２３に示すように、円柱筐体により形成される。
【０１６１】
ライトモジュール３ｘは、電源供給部６０から電源を受給しつつ、接続するプロジェクタモジュール１に電源を供給する。また、ライトモジュール３ｘは、リモートコントローラ７（図２３参照）から送信されたデータからライトパターンを抽出し、ライトパターンに従って照明の制御を行う。
【０１６２】
プロジェクタモジュール１ｘは、リモートコントローラ７から送信されたデータから投射可能な画像データを抽出し、電源供給部側の壁面に対して画像Ｐ（静止画／動画）を投射する。これにより、例えば図２２、図２３に示すように、機能モジュールシステムＶ８−１に含まれるプロジェクタモジュール１ｘ−１は天井に対して画像Ｐ１を投射することができる。また、機能モジュールシステムＶ８−２に含まれるプロジェクタモジュール１ｘ−２はテーブル上面に対して画像Ｐ２を投射し、機能モジュールシステムＶ８−３に含まれるプロジェクタモジュール１ｘ−３は側面の壁に対して画像Ｐ３を投射することができる。
【０１６３】
また、カメラ／センサモジュール５ｘは、リモートコントローラ７からの要求に応じてカメラ／センサデータを取得し、返信する。ここで、本実施形態によるカメラ／センサモジュール５ｘのカメラ／センサ部５２は、撮像部およびＧセンサ（加速度センサ）により実現され得る。例えば、カメラ／センサモジュール５は、他のプロジェクタ９により投射されている投影画像９３（静止画／動画）を撮像してリモートコントローラ７に返信する。また、カメラ／センサモジュール５は、機能モジュールシステムＶ８の設置方向を示すデータ（Ｇセンサデータ）をリモートコントローラ７に返信する。
【０１６４】
これにより、リモートコントローラ７は、各機能モジュールシステムＶ８−１〜Ｖ８−３のそれぞれの設置方向に応じた画像を、各プロジェクタモジュール１ｘ−１〜１ｘ−３から投射するよう制御することができる。
【０１６５】
例えば、図２２、図２３に示す例では、ユーザ８の正面の壁に対して他のプロジェクタ９から海中の風景の画像９３が再生されているので、リモートコントローラ７は画像９３の撮像画像を解析して同じ属性のコンテンツ、すなわち「海中の空間」を構築するよう制御する。
【０１６６】
具体的には、リモートコントローラ７は、各機能モジュールシステムＶ８の設置方向に応じて、海中から見る水面の画像や、海中から見る海底の画像等を投射するよう制御する。例えばリモートコントローラ７は、各機能モジュールシステムＶ８の設置方向に応じて、機能モジュールシステムＶ８−１から天井に対しては、海中から見る水面の画像Ｐ１を投射させ、機能モジュールシステムＶ８−２からテーブルの上に対しては、海中から見る海底の画像Ｐ２を投射させる。また、機能モジュールシステムＶ８−３から側面の壁に対しては、海中の風景の画像Ｐ２を投射させる。
【０１６７】
さらに、リモートコントローラ７は、各機能モジュールシステムＶ８に含まれるライトモジュール３ｘにより、海中の空間を構築するための照明（青色の照明等）を行うよう制御する。
【０１６８】
以上により、ユーザ８は、正面および側面には海中の風景の画像が投射され、天井には水面の画像、テーブルや床には海底の画像が投射され、さらに海中に応じた照明が行われることにより、海中に居るかのような体感を得ることができる。
【０１６９】
このように、例えば居住空間に新たな表示装置やスクリーン、窓等を設置することなく、所定の景色と照明等を出現させ、居住者がリラックスできる快適な空間を提供することができる。また、これらを実現するプロジェクタモジュール１ｘ、ライトモジュール３ｘ、カメラ／センサモジュール５ｘは、図２２に示すように直列に接続された上で、予め設置されている照明器具用の電源供給部に接続されるので、景観を損ねることなく居住空間に設置することができる。
【０１７０】
なおリモートコントローラ７は、他のプロジェクタ９から投射されている画像９３の属性を、撮像画像の解析結果に基づく他、プロジェクタ９から画像９３のメタデータを受信して判断してもよい。
【０１７１】
（動作処理）
続いて、本実施形態の動作処理について図２４を参照して説明する。図２４は、第８の実施形態による複数の機能モジュールシステムＶ８−１〜Ｖ８−３と、リモートコントローラ７の動作処理を示すシーケンス図である。
【０１７２】
まず、ステップＳ８０３において、各機能モジュールシステムＶ８−１〜Ｖ８−３は、カメラ／センサモジュール５ｘにより撮像したメインプロジェクタ映像（具体的には画像９３）の撮像画像と、自身の設置方向を示すデータ（例えばＧセンサデータ）をリモートコントローラ７に送信する。なお、Ｓ８０３に示す処理は、リモートコントローラ７がユーザによる再生指示入力に応じて送信したカメラ／センサデータの取得要求をトリガとして行われてもよい。
【０１７３】
次いで、ステップＳ８０６において、リモートコントローラ７は、受信した撮像画像の属性を識別し、その属性に対応したコンテンツ（ここでは、画像およびライトパターン）を記憶部７１から抽出してデコードし、各機能モジュールシステムＶ８−１〜Ｖ８−３にそれぞれ返信する。この際、リモートコントローラ７は、各機能モジュールシステムＶ８−１〜Ｖ８−３の設置方向に対応した画像を、各機能モジュールシステムＶ８−１〜Ｖ８−３にそれぞれ返信する。例えば、上方向に向けて設置されている機能モジュールシステムＶ８−１には天井用画像、下方向に向けて設置されている機能モジュールシステムＶ８−２には机上／床面用画像、水平方向に向けて設置されている機能モジュールシステムＶ８−３には側面用画像をそれぞれ返信する。
【０１７４】
次に、ステップＳ８０９において、各機能モジュールシステムＶ８−１〜Ｖ８−３は、受信した画像をプロジェクタモジュール１ｘにより投射する。
【０１７５】
また、ステップＳ８１２において、各機能モジュールシステムＶ８−１〜Ｖ８−３は、受信したライトパターンに応じた点灯をライトモジュール３ｘにより行う。
【０１７６】
以上、本実施形態の動作処理について説明した。なおステップＳ８０３〜Ｓ８１２は繰り返し行われてもよい。メインプロジェクタ映像の撮像画像を継続的に送信することで、各機能モジュールシステムＶ８−１〜Ｖ８−３が再現する空間コンテンツを、メインプロジェクタ映像の変化に応じてリアルタイムで変更することができる。また、第８の実施形態による機能モジュールシステムＶ８が、設置方向を検出するセンサ（例えばＧセンサ）を有するライトモジュールと、プロジェクタモジュールにより構成されてもよい。この場合、ライトモジュールは、リモートコントローラ７からの要求に応じて、機能モジュールシステムＶ８の設置方向を示すＧセンサデータを返信する。
【０１７７】
また、図２２、図２３に示す複数の機能モジュールシステムＶ８の配置は一例であって、本実施形態による配置構成はこれに限定されない。例えば、図２５、図２６に示すように、天井に複数の機能モジュールシステムＶ８−１ｘ、Ｖ８−１ｙを配置してもよい。
【０１７８】
図２５は、第８の実施形態による変形例の配置構成を説明するための図である。また、図２６は、図２５に示す配置構成の上面図である。図２５、図２６に示すように、複数の機能モジュールシステムＶ８−１ｘ、Ｖ８−１ｙが上方向に向けて設置されている場合、複数の機能モジュールシステムＶ８−１ｘ、Ｖ８−１ｙは、天井用の画像Ｐ１ｘ、Ｐ１ｙをそれぞれ天井に対して投射する。
【０１７９】
この際、画像Ｐ１ｘ、Ｐ１ｙはそれぞれ同じ画像であってもよいし、図２４、図２５に示すように、１の画像を分割したものであってもよい。複数の画像Ｐ１ｘ、Ｐ１ｙで１の画像を形成することにより、より大きい画像を投射することができる。この際、リモートコントローラ７は、設置方向が同じ機能モジュールシステムに対して、設置方向に応じた画像を分割した画像それぞれ配信することで、図２４、図２５に示すように複数の投射画像で１の画像を構成することができる。また、各機能モジュールシステムＶ８−１ｘ、Ｖ８−１ｙは、互いをカメラ／モジュールシステム５ｘ−１、５ｘ−２で撮像して互いの存在を認識した場合、リモートコントローラ７に対して分割された画像を要求してもよい。
【０１８０】
＜３−９．第９の実施形態＞
以上説明した各実施形態では、リモートコントローラ７によってコンテンツが選択され、デコードされたコンテンツデータが各機能モジュールシステムに送信されているが、本開示による機能モジュールシステムはこれに限定されない。例えば、機能モジュールシステムを構成する機能モジュールが自ら出力するコンテンツを判断してもよい。以下、図２７〜図２８を参照して具体的に説明する。
【０１８１】
（構成）
図２７は、第９の実施形態によるプロジェクタモジュール１１０の構成を示すブロック図である。図２７に示すように、プロジェクタモジュール１１０は、電源接続部１ａ、１ｂ、投射部１２、通信部１４、記憶部１６、およびＧセンサ１８を有する。電源接続部１ａ、１ｂ、投射部１２、および通信部１４については、図２を参照して上述したのでここでの説明は省略する。
【０１８２】
記憶部１６は、機能モジュールシステムで再生されるコンテンツを記憶する。
【０１８３】
Ｇセンサ１８は、プロジェクタモジュール１１０の設置方向を検出するための加速度センサである。なお、Ｇセンサ１８は、設置方向を検出するためのセンサの一例であって、本実施形態によるセンサはこれに限定されない。
【０１８４】
制御部１１１は、Ｇセンサ１８により検出されたデータに基づいて、自身の設置方向を認識し、設置方向に応じた画像を記憶部１６から読み出し、投射部１２から投射するよう制御する。
【０１８５】
（動作処理）
上述した構成を有するプロジェクタモジュール１１０の動作処理について図２８を参照して説明する。図２８は、図２７に示すプロジェクタモジュール１１０の動作処理を示すフローチャートである。
【０１８６】
図２８に示すように、まずステップＳ９０３において、プロジェクタモジュール１１０の制御部１１１は、Ｇセンサ１８により検出されたデータに基づいて、自身の設置方向を認識する。
【０１８７】
次いで、ステップＳ９０６において、制御部１１１は、設置方向に対応した画像（天井用画像、側面用画像、机上／床面用画像）を記憶部１６から読み出す。具体的には、例えば上方向に向けて設置されている場合には天井用画像、下方向に向けて設置されている場合には机上／床面用画像、水平方向に向けて設置されている場合には側面用画像を記憶部１６から読み出す。そして、制御部１１１は、読み出した画像を投射部１２から投射するよう制御する。
【０１８８】
以上、機能モジュールシステムを構成するプロジェクタモジュール１１０が自らの設置方向に応じて投射する画像を判断する場合について説明した。
【０１８９】
＜３−１０．第１０の実施形態＞
続いて、機能モジュールシステムを構成するライトモジュールが、接続する他のモジュールの機能に応じて自らの照明を制御する場合について、図２９〜図３０を参照して説明する。上記各実施形態に示したように、機能モジュールシステムＶは、複数の異なる機能モジュールが接続され構成され得る。したがって、例えば上記第４の実施形態に示すように、ライトモジュール３より電源供給部６０側にプロジェクタモジュール１が接続されている場合、天井に対して投射される画像Ｐ１を見上げるユーザ８にとって、ライトモジュール３による照明が眩しいと感じる場合もある。そこで、機能モジュールの組み合わせに応じて、ライトモジュール３が自身の輝度を調整できるようにしてもよい。以下、図２９〜図３０を参照して具体的に説明する。
【０１９０】
（構成）
図２９は、第１０の実施形態によるライトモジュール３００の構成を示すブロック図である。図２０に示すように、ライトモジュール３００は、電源接続部３ａ、３ｂ、ライト部３２、通信部３４、および制御部３１０を有する。電源接続部３ａ、３ｂ、ライト部３２、および通信部３４は、図４を参照して上述したのでここでの説明は省略する。
【０１９１】
制御部３１０は、ライトモジュール３００の各構成を制御する機能を有する。具体的には、本実施形態による制御部３１０は、接続モジュール判断部３１０ａと、輝度制御部３１０ｂとして機能する。
【０１９２】
接続モジュール判断部３１０ａは、電源供給部６０側に接続されている他の機能モジュール、すなわち電源接続部３ａに接続されている他の機能モジュールが、プロジェクタモジュール１（映像を出力する機能を有するモジュール）であるか否かを判断する。
【０１９３】
輝度制御部３１０ｂは、電源供給側にプロジェクタモジュール１が接続されていると接続モジュール判断部３１０ａにより判断された場合、輝度を（所定値より）下げるようライト部３２を制御する。
【０１９４】
（動作処理）
上述した構成を有するライトモジュール３００の動作処理について図３０を参照して説明する。図３０は、図２９に示すライトモジュール３００の動作処理を示すフローチャートである。
【０１９５】
まず、ステップＳ９２０において、ライトモジュール３００の制御部３１０（接続モジュール判断部３１０ａ）は、自身に接続されているモジュールが、プロジェクタモジュール１であって、かつ、電源供給側に接続されているか否かを判断する。
【０１９６】
次いで、プロジェクタモジュール１であって、かつ、電源供給側に接続されていると判断された場合（Ｓ９２０／Ｙｅｓ）、ステップＳ９２３において、制御部３１０（輝度制御部３１０ｂ）は、ライト部３２の輝度を所定値より下げるよう調整する。これにより、プロジェクタモジュール１から天井に対して照射される画像を見上げるユーザにとって、ライト部３２による照明が眩しくなることを防止することができる。
【０１９７】
続くステップＳ９２６〜Ｓ９３２において、図１５に示す第４の実施形態によるステップＳ４３０〜Ｓ４３６と同様の処理が行われる。
【０１９８】
以上、機能モジュールシステムを構成するライトモジュール３００が自身に接続する他のモジュールの機能に応じて照明の輝度を調整する場合について説明した。
【０１９９】
＜＜４．まとめ＞＞
上述したように、本開示の実施形態による機能モジュールシステムは、複数の機能モジュールを電源供給部から順次接続させ、異なる順序にも変更可能とし、空間の景観を損ねることなく多様な機能を設けることが可能となる。
【０２００】
以上、添付図面を参照しながら本開示の好適な実施形態について詳細に説明したが、本技術はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２０１】
例えば、上述した各機能モジュールの少なくともいずれか、またはリモートコントローラ７に内蔵されるＣＰＵ、ＲＯＭ、およびＲＡＭ等のハードウェアに、リモートコントローラ７の制御部７０の機能を発揮させるためのコンピュータプログラムも作成可能である。また、当該コンピュータプログラムを記憶させたコンピュータ読み取り可能な記憶媒体も提供される。
【０２０２】
また、上述したコンテンツデータ（ソース）の格納場所は、リモートコントローラ７に内蔵の記憶部７１に限定されず、例えばクラウドサーバ上であってもよい。この場合、リモートコントローラ７は、各機能モジュールに対して、選択したコンテンツの格納場所を示す情報（例えばＵＲＬ）をそれぞれ転送する。
【０２０３】
また、上記第４、第５の実施形態において、他のプロジェクタ９から投影されている画像は、テレビジョン装置やパーソナルコンピュータ等の表示装置の画面であってもよいし、壁や天井に貼付されている紙媒体等の絵であってもよい。また、同実施形態において、リモートコントローラ７は、他のプロジェクタ９により投影されている画像の解析結果に限定されず、例えば他のスピーカ装置により再生されている音楽の解析結果に基づいて、当該音楽と同じ属性のコンテンツを機能モジュールシステムで提供するよう制御してもよい。
【０２０４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０５】
なお、本技術は以下のような構成も取ることができる。
（１）
照明器具用の電源供給部に接続可能な第１の機能モジュールと、
前記第１の機能モジュールに接続可能な第２の機能モジュールと、
を備え、
前記第１、第２の機能モジュールは、前記電源供給部に対して、前記第２の機能モジュール、第１の機能モジュールの順にも接続変更され得る、機能モジュールシステム。
（２）
前記第１、第２の機能モジュールは、前記電源供給部または上流側に接続される前記第２、第１の機能モジュールから電源を受給する電源接続部を有する、前記（１）に記載の機能モジュールシステム。
（３）
前記第１の機能モジュールは、
映像コンテンツを受信可能な通信部と、
前記映像コンテンツを出力する出力部と、を有する、前記（１）または（２）に記載の機能モジュールシステム。
（４）
前記第２の機能モジュールは、
周辺状況を検出するセンサ部を有し、
前記センサ部により検出されたデータに応じて、前記第１の機能モジュールが有する前記出力部に出力される映像コンテンツが変更される、前記（３）に記載の機能モジュールシステム。
（５）
前記センサ部は、当該機能モジュールシステムの設置方向を示すデータを検出し、
前記出力部は、前記設置方向に対応する映像コンテンツを出力する、前記（４）に記載の機能モジュールシステム。
（６）
前記第１の機能モジュールは、
上方出力用のコンテンツと、下方出力用のコンテンツとを記憶する記憶部と、
当該機能モジュールシステムの設置方向を示すデータを検出するセンサ部と、
前記センサ部により検出されたデータに基づいて自身の設置方向を認識し、認識した設置方向に応じたコンテンツを前記記憶部から読み出して前記出力部から出力するよう制御する制御部と、を有する、前記（３）に記載の機能モジュールシステム。
（７）
前記第１の機能モジュールは、
オーディオコンテンツを受信可能な通信部と、
前記オーディオコンテンツを出力するスピーカ部と、を有する、前記（１）または（２）に記載の機能モジュールシステム。
（８）
前記第１の機能モジュールは、
ライトパターンを受信可能な通信部と、
前記ライトパターンに応じて点灯するライト部と、を有する、前記（１）または（２）に記載の機能モジュールシステム。
（９）
前記第２の機能モジュールは、
周辺状況を検出するセンサ部を有し、
前記センサ部により検出されたデータに応じて、前記ライト部を点灯させる際のライトパターンが変更される、前記（８）に記載の機能モジュールシステム。
（１０）
前記第１の機能モジュールは、
当該機能モジュールシステムの設置方向を示すデータを検出するセンサ部をさらに有し、
前記第２の機能モジュールは、
映像コンテンツを受信可能な通信部と、
当該映像コンテンツを出力する出力部と、を有し、
前記出力部は、前記設置方向に対応する映像コンテンツを出力する、前記（８）に記載の機能モジュールシステム。
（１１）
前記第１の機能モジュールは、
前記第２の機能モジュールが映像を出力する機能を有し、且つ、電源供給部側か否かを検出するセンサ部と、
前記センサ部による検出結果に応じて、ライト部の明るさを制御する制御部と、を有する、前記（８）に記載の機能モジュール。
【符号の説明】
【０２０６】
１、１ｘ−１〜１ｘ−３、１１０    プロジェクタモジュール（天井／側面タイプ）
１ａ、１ｂ    電源接続部
１２    投射部
１４    通信部
１６    記憶部
１８    Ｇセンサ
２    プロジェクタモジュール（床側タイプ）
２ａ    電源接続部
２２    投射部
２４    通信部
３、３−１〜３−５、３ｘ−１〜３ｘ−３、３００    ライトモジュール
３ａ、３ｂ    電源接続部
３２    ライト部
３４    通信部
３１０    制御部
３１０ａ    接続モジュール判断部
３１０ｂ    輝度制御部
４    スピーカモジュール
４ａ、４ｂ    電源接続部
４２、４２ａ、４２ｂ    スピーカ部
４４    通信部
５、５ｘ−１〜５ｘ−３    カメラ／センサモジュール
５ａ    電源接続部
５２    カメラ／センサ部
５４    通信部
７    リモートコントローラ
７０    制御部
７１    記憶部
７２    通信部
７３    デコーダ部
７４    ユーザＩ／Ｆ部
８    ユーザ
９    他のプロジェクタ
Ｖ１〜Ｖ８、Ｖ８−１〜Ｖ８−３、Ｖ８−１ｘ、Ｖ８−１ｙ、Ｖ１００、Ｖ２００    機能モジュールシステム
Ｐ１〜Ｐ３、Ｐ１−１〜Ｐ１−４、Ｐ１ｘ、Ｐ１ｙ    画像（投射画像）
【図１】
0006561843.tif 000002
【図２】
0006561843.tif 000003
【図３】
0006561843.tif 000004
【図４】
0006561843.tif 000005
【図５】
0006561843.tif 000006
【図６】
0006561843.tif 000007
【図７】
0006561843.tif 000008
【図８】
0006561843.tif 000009
【図９】
0006561843.tif 000010
【図１０】
0006561843.tif 000011
【図１１】
0006561843.tif 000012
【図１２】
0006561843.tif 000013
【図１３】
0006561843.tif 000014
【図１４】
0006561843.tif 000015
【図１５】
0006561843.tif 000016
【図１６】
0006561843.tif 000017
【図１７】
0006561843.tif 000018
【図１８】
0006561843.tif 000019
【図１９】
0006561843.tif 000020
【図２０】
0006561843.tif 000021
【図２１】
0006561843.tif 000022
【図２２】
0006561843.tif 000023
【図２３】
0006561843.tif 000024
【図２４】
0006561843.tif 000025
【図２５】
0006561843.tif 000026
【図２６】
0006561843.tif 000027
【図２７】
0006561843.tif 000028
【図２８】
0006561843.tif 000029
【図２９】
0006561843.tif 000030
【図３０】
0006561843.tif 000031